(57)【特許請求の範囲】
【請求項１】
第１の通信方式を用いて通信を行う第１の通信部と、
第２の通信方式を用いて通信を行う第２の通信部と、を有し、
前記第２の通信部において検出した着呼に対応する着呼動作が実行中である場合に、前記第１の通信部において着呼を検出すると、前記第２の通信部における着呼より後に検出した前記第１の通信部による着呼に対して不可を通知する通信装置。
【請求項２】
第１の通信方式によって第１の電話番号を用いて通信を行う第１の通信部と、
第２の通信方式によって第２の電話番号を用いて通信を行う第２の通信部と、を有し、
前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知する通信装置。
【請求項３】
前記第１の通信部が検出した着呼の情報を取得し、前記第２の通信部の通信が終了した後、当該着呼の情報を報知させる請求項１又は２に記載の通信装置。
【請求項４】
前記第２の通信部が通話中である場合、前記第１通信部が検出した着呼を報知させる請求項１から３のいずれか一項に記載の通信装置。
【請求項５】
操作部をさらに有し、
前記第１の通信部が検出した着呼に対する通話操作を前記操作部で検出した場合、前記第２の通信部で実行している通話を終了し、前記第１の通信部が検出した着呼に対する通話を開始する請求項４に記載の通信装置。
【請求項６】
第１の通信方式によって第１の電話番号を用いて通信を行う第１の通信部と、
第２の通信方式によって第２の電話番号を用いて通信を行う第２の通信部と、を有し、
前記第２の通信部によって前記第２の電話番号を発信元とし前記第１の電話番号を発信先として発呼中である場合に、前記第１の通信部において当該発呼に対する着呼を検出すると、当該着呼に対して不可を通知する通信装置。
【請求項７】
第１の通信方式を用いて通信を行う第１の通信部と、第２の通信方式を用いて通信を行う第２の通信部と、を有する通信装置を制御する方法であって、
前記第２の通信部において検出した着呼に対応する着呼動作が実行中である場合に、前記第１の通信部において着呼を検出すると、前記第２の通信部における着呼より後に検出した前記第１の通信部による着呼に対して不可を通知する
通信方法。
【請求項８】
第１の通信方式を用いて通信を行う第１の通信部と、第２の通信方式を用いて通信を行う第２の通信部と、を有する通信装置に、
前記第２の通信部において検出した着呼に対応する着呼動作が実行中である場合に、前記第１の通信部において着呼を検出すると、前記第２の通信部における着呼より後に検出した前記第１の通信部による着呼に対して不可を通知する
ことを実行させる通信プログラム。
【請求項９】
第１の通信方式によって第１の電話番号を用いて通信を行う第１の通信部と、第２の通信方式によって第２の電話番号を用いて通信を行う第２の通信部と、を有する通信装置を制御する方法であって、
前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知する
通信方法。
【請求項１０】
第１の通信方式によって第１の電話番号を用いて通信を行う第１の通信部と、第２の通信方式によって第２の電話番号を用いて通信を行う第２の通信部と、を有する通信装置に、
前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知する
ことを実行させる通信プログラム。
【発明の詳細な説明】
【技術分野】
【０００１】
本出願は、通信装置、通信方法、及び通信プログラムに関する。特に、本出願は、タッチスクリーンを有する通信装置、その通信装置を制御する方法、及びその通信装置を制御するためのプログラムに関する。
【背景技術】
【０００２】
通信装置としては、携帯電話機や、ＰＨＳ等の持ち運び可能な携帯電話機がある。このような通信装置としては、タッチスクリーンを備えるタッチスクリーンデバイスが知られている。タッチスクリーンデバイスは、例えば、スマートフォンを含むが、これに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
ここで、携帯電話機や、ＰＨＳ等の通信装置は、契約した通信事業者により提供される通信ネットワークを利用して、他の端末との間で通話を含む通信を行うことができる。さらに、通信装置の中には、通話を行う場合に、使用する通信回線を複数の通信回線の中から選択できるものがある。
【先行技術文献】
【特許文献】
【０００５】
【特許文献１】国際公開第２００８／０８６３０２号
【発明の概要】
【発明が解決しようとする課題】
【０００６】
上記のことから、使用可能な複数の通信回線の操作性を向上させることができる通信装置、通信方法、及び通信プログラムに対するニーズがある。
【課題を解決するための手段】
【０００７】
１つの態様に係る通信装置は、第１の通信方式を用いて通信を行う第１の通信部と、第２の通信方式を用いて通信を行う第２の通信部と、を有し、前記第２の通信部において検出した着呼に対応する着呼動作が実行中である場合に、前記第１の通信部において着呼を検出すると、前記第２の通信部における着呼より後に検出した前記第１の通信部による着呼に対して不可を通知する。
１つの態様に係る通信装置は、第１の通信方式によって第１の電話番号を用いて通信を行う第１の通信部と、第２の通信方式によって第２の電話番号を用いて通信を行う第２の通信部と、を有し、前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知する。
【０００８】
１つの態様に係る通信装置は、第１の通信方式を用いて通信を行う第１の通信部と、第２の通信方式を用いて通信を行う第２の通信部と、前記第２の通信部によって前記第１の通信部に対して発呼を行い、前記第１の通信部が当該発呼に対する着呼を検出した場合、当該着呼に対して不可を通知する制御部と、を有する。
【０００９】
１つの態様に係る通信方法は、第１の通信方式を用いて通信を行う第１の通信部と、第２の通信方式を用いて通信を行う第２の通信部と、を有する通信装置を制御する方法であって、前記第２の通信部において検出した着呼に対応する着呼動作が実行中である場合に、前記第１の通信部において着呼を検出すると、前記第２の通信部における着呼より後に検出した前記第１の通信部による着呼に対して不可を通知する。
１つの態様に係る通信方法は、第１の通信方式によって第１の電話番号を用いて通信を行う第１の通信部と、第２の通信方式によって第２の電話番号を用いて通信を行う第２の通信部と、を有する通信装置を制御する方法であって、前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知する。
【００１０】
１つの態様に係る通信プログラムは、第１の通信方式を用いて通信を行う第１の通信部と、第２の通信方式を用いて通信を行う第２の通信部と、を有する通信装置に、前記第２の通信部において検出した着呼に対応する着呼動作が実行中である場合に、前記第１の通信部において着呼を検出すると、前記第２の通信部における着呼より後に検出した前記第１の通信部による着呼に対して不可を通知することを実行させる。
１つの態様に係る通信プログラムは、第１の通信方式によって第１の電話番号を用いて通信を行う第１の通信部と、第２の通信方式によって第２の電話番号を用いて通信を行う第２の通信部と、を有する通信装置に、前記第２の通信部によって前記第２の電話番号を用いて発呼中である場合に、前記第１の通信部において前記第１の電話番号に対する着呼を検出すると、前記第２の通信部における発呼より後に検出した前記第１の通信部による着呼に対して不可を通知することを実行させる。
【図面の簡単な説明】
【００１１】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、ディスプレイに表示される通話設定インターフェースの一例を示す図である。
【図７】図７は、ＰＨＳ方式による通話に関する操作を受け付けるためのユーザーインターフェースの一例を示す図である。
【図８】図８は、３Ｇ方式による通話に関する操作を受け付けるためのユーザーインターフェースの一例を示す図である。
【図９】図９は、制御プログラムが提供する機能に基づく制御の例について説明するための図である。
【図１０】図１０は、実施形態に係るスマートフォンが行う制御の一例を示す図である。
【図１１】図１１は、実施形態に係るスマートフォンが行う制御の処理手順を示すフローチャートである。
【図１２】図１２は、実施形態に係るスマートフォンが行う制御の処理手順を示すフローチャートである。
【図１３】図１３は、実施形態に係るスマートフォンが行う制御の一例を示す図である。
【図１４】図１４は、実施形態に係るスマートフォンが行う制御の処理手順を示すフローチャートである。
【発明を実施するための形態】
【００１２】
本出願に係る通信装置、通信方法、及び通信プログラムを実施するための実施形態を、図面を参照しつつ詳細に説明する。以下では、タッチスクリーンを備える通信装置の例として、スマートフォンについて説明する。
【００１３】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１６】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１７】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１９】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２０】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２１】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２２】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２３】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２４】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２５】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２６】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００２７】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２８】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２９】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００３０】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３１】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００３２】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３３】
ディスプレイ２Ａの上端には、領域４２が設けられている。領域４２には、電源の残量を示す残量マーク４３、第１通信ユニット６Ａを用いた通信用の電波の電界強度を示す電波レベルマーク４４ａ及び第２通信ユニット６Ｂを用いた通信用の電波の電界強度を示す電波レベルマーク４４ｂが表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
ディスプレイ２Ａに表示される画面の上下方向について説明する。以下の説明では、タッチスクリーンディスプレイ２の長手方向において領域４２に近い側が上側であり、領域４２から遠い側が下側である。そして、領域４２において電波レベルマーク４４ａ、４４ｂが表示されている側が右側であり、領域４２において残量マーク４３が表示されている側が左側である。
【００３５】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３６】
図５は、スマートフォン１のブロック図である。スマートフォン１は、タッチスクリーンディスプレイ２と、ボタン３と、照度センサ４と、近接センサ５と、第１通信ユニット６Ａ及び第２通信ユニット６Ｂと、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、発光部１８と、バイブレータ１９とを有する。
【００３７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００３９】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００４１】
第１通信ユニット６Ａ及び第２通信ユニット６Ｂは、無線により通信する。第１通信ユニット６Ａ及び第２通信ユニット６Ｂによってサポートされる通信方式は、無線通信規格である。本実施形態において、第１通信ユニット６Ａは、第１の通信方式を用いて通信を行う第１の通信手段であり、第１の通信方式として、少なくとも、ＰＨＳ（Ｐｅｒｓｏｎａｌ  Ｈａｎｄｙ−ｐｈｏｎｅ  Ｓｙｓｔｅｍ）でサポートされる。第２通信ユニット６Ｂは、第２の通信方式を用いて通信を行う第２の通信手段であり、第２の通信方式として、３Ｇの通信規格でサポートされる。具体的には、第２通信ユニット６Ｂは、少なくとも、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、の１つ又は複数をサポートする。なお、無線通信規格は、上記に限定されず、例えば、２Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。
【００４２】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ及び第２通信ユニット６Ｂによる無線通信又は非一過的な記憶媒体を介してストレージ９にインストールされてもよい。
【００４５】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カレンダーアプリケーション９Ｆ、計算機アプリケーション９Ｇ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カレンダーアプリケーション９Ｆは、スケジュール管理等のためのカレンダー機能を提供する。計算機アプリケーション９Ｇは、例えば四則演算を行うための計算機機能を提供する。設定データ９Ｚは、スマートフォン１の動作に関する各種の設定に関する情報を含む。例えば、設定データ９Ｚは、第１通信ユニット６Ａなどを制御することによって実現される通話、又は第２通信ユニット６Ｂなどを制御することによって実現される通話のいずれを行うかの設定に関する情報、第１通信ユニット６Ａ及び第２通信ユニット６Ｂの通話通信の各種処理条件などを含む。以下では、説明の便宜上、第１通信ユニット６Ａなどを制御することによって実現される通話の発信処理、つまり発呼処理を「ＰＨＳ発信」と表記する。第１通信ユニット６Ａなどを制御することによって実現される通話を「ＰＨＳ方式を利用する通話」と表記する。第１通信ユニット６Ａなどを制御することによって実現される通話の着信処理、つまり着呼処理を「ＰＨＳ着信」と表記する。第２通信ユニット６Ｂなどを制御することによって実現される通話の発信処理、つまり発呼処理を「３Ｇ発信」と表記し、第２通信ユニット６Ｂなどを制御することによって実現される通話を「３Ｇ方式を利用する通話」と表記する。第２通信ユニット６Ｂなどを制御することによって実現される通話の着信処理、つまり着呼処理を「３Ｇ着信」と表記する。
【００４６】
制御プログラム９Ａは、スマートフォン１を稼働させるための各種制御に関する機能を提供する。制御プログラム９Ａは、例えば、第１通信ユニット６Ａ、第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。制御プログラム９Ａが提供する機能には、第１通信ユニット６Ａ及び第２通信ユニット６Ｂで行う通信を制御する機能、特に通話通信を制御する機能が含まれる。具体的には、制御プログラム９Ａが提供する機能には、第１通信ユニット６Ａ及び第２通信ユニット６Ｂの２つの通信ユニットのうち一方の通話ユニットで通話通信を行う場合に他方の通話ユニットの状態に基づいて一方の通話ユニットでの通話通信を制御する機能が含まれる。制御プログラム９Ａが提供する機能には、タッチスクリーン２Ｂに３Ｇ発信を開始するための操作が受け付けられたときに、３Ｇ発信を行うことを報知する機能が含まれる。制御プログラム９Ａが提供する機能には、ＰＨＳ方式と３Ｇ方式とを切り換える操作を受け付けるユーザーインターフェースを提供する機能が含まれる。制御プログラム９Ａが提供する機能には、ＰＨＳ回線による通話に関する操作を受け付けるためのユーザーインターフェースを提供する機能が含まれる。制御プログラム９Ａが提供する機能には、３Ｇ回線による通話に関する操作を受け付けるためのユーザーインターフェースを提供する機能が含まれる。
【００４７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００４８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、第１通信ユニット６Ａ及び６Ｂ、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００４９】
コントローラ１０は、例えば、制御プログラム９Ａを実行することにより、２つの第１通信ユニット６Ａ及び第２通信ユニット６Ｂで行う通信の制御、特に通話通信の制御を実行することができる。コントローラ１０は、制御プログラム９Ａを実行することにより、２つの第１通信ユニット６Ａ及び第２通信ユニット６Ｂの２つの通信ユニットのうち一方の通話ユニットで通話通信を行う場合に他方の通話ユニットの状態に基づいて一方の通話ユニットでの通話通信を制御する。コントローラ１０は、制御プログラム９Ａを実行することにより、タッチスクリーン２Ｂに通信を開始するための操作が受け付けられたときに、ＰＨＳ回線及び３Ｇ回線のうちいずれの回線を用いて通信を開始するかを報知する等の各種制御を実行する。
【００５０】
カメラ１２は、フロントフェイス１Ａに面している物体を撮影するインカメラである。カメラ１３は、バックフェイス１Ｂに面している物体を撮影するアウトカメラである。
【００５１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。発光部１８は、例えば、ＬＥＤ（Ｌｉｇｈｔ  Ｅｍｉｔｔｉｎｇ  Ｄｉｏｄｅ）であり、複数の色で発光する。バイブレータ１９は、振動するモーターである。
【００５３】
図５においてストレージ９が記憶するプログラム及びデータの一部又は全部は、第１通信ユニット６Ａ及び第２通信ユニット６Ｂの少なくとも一方による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５４】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５５】
以下、図６から図１４を用いて、スマートフォン１の通話動作で実行される処理について説明する。まず、図６から図９を用いて、スマートフォン１の発呼時の動作について説明する。図６は、ディスプレイに表示される通話設定インターフェースの一例を示す図である。図７は、ＰＨＳ方式による通話に関する操作を受け付けるためのユーザーインターフェースの一例を示す図である。図８は、３Ｇ方式による通話に関する操作を受け付けるためのユーザーインターフェースの一例を示す図である。図９は、制御プログラムが提供する機能に基づく制御の例について説明するための図である。
【００５６】
スマートフォン１は、図６に示す通話設定インターフェース４５をユーザが操作することにより、ＰＨＳ方式か、３Ｇ方式の通信方式が設定される。つまり、ユーザは、図６に示す通話設定インターフェース４５を操作することにより、発呼時の通信方式の確認通知を表示させるか否かを設定できる。通話設定インターフェース４５の設定に関する情報は、ストレージ９に記憶されている設定データ９Ｚに含まれる。
【００５７】
図７に示すように、ＰＨＳ方式による通話に関する操作を受け付けるためのユーザーインターフェース４６は、ＳＭＳ（Ｓｈｏｒｔ  Ｍｅｓｓａｇｅ  Ｓｅｒｖｉｃｅ）、電話帳、キーパッド、発着信履歴などの各種機能に対応する操作部を有する。図７は、ディスプレイ２Ａにキーパッドが表示されている例であり、発呼操作を行うための操作部４６ａの画像が「発信（ＰＨＳ）」となっている。図７に示すユーザーインターフェース４６は、通信方式として通話設定インターフェース４５上でＰＨＳ方式が設定されている場合に、通話機能に対応するアイコンに対する操作に伴ってディスプレイ２Ａに表示される。
【００５８】
図８に、３Ｇ方式による通話に関する操作を受け付けるためのユーザーインターフェースの一例を示す。図８に示すように、３Ｇ方式による通話に関する操作を受け付けるためのユーザーインターフェース４７は、ＳＭＳ、電話帳、キーパッド、発着信履歴などの各種機能に対応する操作部を有する。図８では、ディスプレイ２Ａにキーパッドが表示されている例であり、発呼操作を行うための操作部４７ａの画像が「発信（３Ｇ）」となっている。図８に示すユーザーインターフェース４７は、通信方式として通話設定インターフェース４５上で３Ｇ方式が設定されている場合に、通話機能に対応するアイコンに対する操作に伴ってディスプレイ２Ａに表示される。
【００５９】
図７に示すユーザーインターフェース４６と、図８に示すユーザーインターフェース４７は、基本的には同様の構成を有しており、発信種別に応じて、キーパッド上の発信ボタンの画像が変更される点だけが異なる。
【００６０】
図９は、３Ｇ発信を開始するための操作として、例えば、ＰＨＳ方式から３Ｇ方式に通信方式を切り替える操作が行われたときに、３Ｇ発信するか否かの確認通知をディスプレイ２Ａに表示する制御の例を示している。
【００６１】
図９に示すステップＳ１１は、ディスプレイ２Ａに、ＰＨＳ方式による通話に関する操作を受け付けるためのユーザーインターフェース４６が表示された状態を示している。図９に示すステップＳ１２は、ユーザーインターフェース４６の上から下へ、ユーザの指Ｆ１によるスワイプが開始されようとしている状態を示している。図９に示すステップＳ１３は、ディスプレイ２Ａに通話設定インターフェース４５が表示された、スワイプ直後のディスプレイ２Ａの状態を示している。図９に示すステップＳ１４は、ユーザの指Ｆ１が、通話設定インターフェース４５上の３Ｇと表記された箇所にタッチした状態を示している。図９に示すステップＳ１５は、通話設定インターフェース４５上の３Ｇと表記された箇所の色が反転した、タッチ直後のディスプレイ２Ａの状態を示している。図９に示すステップＳ１６は、通話設定インターフェース４５の下から上へ、ユーザの指Ｆ１によるスワイプが開始されようとしている状態を示している。図９に示すステップＳ１７は、３Ｇ方式による通話に関する操作を受け付けるためのユーザーインターフェース４７がディスプレイ２Ａに表示されるとともに、３Ｇ発信するか否かをユーザに報知する確認通知４７ｂが表示された、スワイプの直後の状態を示している。
【００６２】
スマートフォン１は、例えば、通話機能に対応するアイコンに対する操作が行われると、ステップＳ１１に示すように、第１通信ユニット６Ａを起動し、ディスプレイ２Ａにユーザーインターフェース４６を表示させる。
【００６３】
スマートフォン１は、ステップＳ１２に示すように、タッチスクリーン２Ｂにより、ユーザーインターフェース４６上を上から下へなぞるスワイプが検出されると、ステップＳ１３に示すように、ディスプレイ２Ａに表示されている画面を、ユーザーインターフェース４６から通話設定インターフェース４５に切り替えて表示させる。
【００６４】
スマートフォン１は、ステップＳ１４に示すように、タッチスクリーン２Ｂにより、通話設定インターフェース４５上の３Ｇと表記された箇所へのタッチが検出されると、ステップＳ１５に示すように、通話設定インターフェース４５上の３Ｇの位置の色を反転させる。そして、スマートフォン１は、通信方式をＰＨＳ方式から３Ｇ方式へと切り替える。スマートフォン１は、ストレージ９の設定データ９Ｚに記憶されている通信方式に関する情報を、ＰＨＳ方式から３Ｇ方式に更新する。
【００６５】
スマートフォン１は、ステップＳ１６に示すように、タッチスクリーン２Ｂにより、通話設定インターフェース４５上を下から上へなぞるスワイプが検出されると、ステップＳ１７に示すように、ディスプレイ２Ａに表示されている画面を、通話設定インターフェース４５からユーザーインターフェース４７に切り替えて表示させるとともに、３Ｇ発信の確認通知４７ｂを表示させる。スマートフォン１は、確認通知４７ｂ上の「ＯＫ」と表記されている箇所への操作が検出されると、３Ｇ発信が許可されたものと判定する。これとは反対に、スマートフォン１は、確認通知４７ｂ上の「ｃａｎｃｅｌ」と表記されている箇所への操作が検出されると、３Ｇ発信が許可されなかったものと判定する。
【００６６】
スマートフォン１は、図９に示す処理で通話通信に用いる通信方式が決定された後、通話通信の発呼操作が入力された場合、当該設定された通信方式を用いて、つまり、当該通信方式に対応する第１通信ユニット６Ａまたは第２通信ユニット６Ｂを用いて、発呼処理を実行する。ここで、スマートフォン１は、３Ｇ発信が設定され、操作部４７ａが操作された場合、確認通知４７ｂを表示させ、通話発信（発呼）を３Ｇ発信で実行するかを再度問い合わせることが好ましい。
【００６７】
そこで、３Ｇ方式及びＰＨＳ方式を併用可能な通信サービスの提供が考えられる。この通信サービスでは、３Ｇ方式を用いて通信を行うことで高速なデータ通信を実現し、ＰＨＳ方式を用いて通話を行うことで低料金を実現できる。上述してきたように、スマートフォン１は、第１通信ユニット６Ａ及び６Ｂを有し、第１通信ユニット６Ａ及び６Ｂなどを制御することにより、３Ｇ方式を用いた通信、及びＰＨＳ方式を用いた通信を併用可能な通信サービスに対応した処理を行うことができる。具体的には、スマートフォン１は、図９に示すように、通信方式がＰＨＳ方式から３Ｇ方式に切り替えられたときに、３Ｇ発信するか否かをユーザに報知する確認通知４７ｂを表示させる。このため、スマートフォン１は、発信時に、ユーザに通信方式を再認識させることができる。結果として、ユーザに、通信料金を自己管理させることもできる。
【００６８】
次に、図１０から図１４を用いて、スマートフォン１が通話通信で実行する制御の一例について説明する。図１０は、実施形態に係るスマートフォンが行う制御の一例を示す図である。図１１は、実施形態に係るスマートフォンが行う制御の処理手順を示すフローチャートである。図１２は、実施形態に係るスマートフォンが行う制御の処理手順を示すフローチャートである。図１３は、実施形態に係るスマートフォンが行う制御の一例を示す図である。図１４は、実施形態に係るスマートフォンが行う制御の処理手順を示すフローチャートである。図１０から図１４に示す処理手順は、コントローラ１０が、制御プログラム９Ａを実行することによって実現される。
【００６９】
図１０は、スマートフォン１とＰＨＳ網（ＰＨＳ通信網）１００と３Ｇ網（３Ｇ通信網）１０２との間で送受信される信号と、各部の通信機能が通信を実行しているか停止しているかを示す図である。図１０に示すＰＨＳ網１００は、ＰＨＳ方式（第１の通信方式）による通信を行う通信網である。ＰＨＳ網１００は、ＰＨＳ方式で通信を行う基地局を多数備える。ＰＨＳ網１００は、基地局間で無線通信を行うことで通信装置間の通信を可能とする。ＰＨＳ網１００は、スマートフォン１の第１通信ユニット６Ａと通信を行い通話通信の信号を送受信する。さらに、ＰＨＳ網１００は、スマートフォン１との間で送受信した信号を、基地局で伝達し、他の通信装置（他の電話番号の通信装置）との間で通話通信の信号を送受信する。以上のようにして、ＰＨＳ網１００は、スマートフォン１と他の通信装置との間で通話通信を行い、スマートフォン１と他の通信装置との間での第１の通信方式を用いた通話通信を実行する。
【００７０】
３Ｇ網１０２は、３Ｇ方式（第２の通信方式）による通信を行う通信網である。３Ｇ網１０２は、３Ｇ方式で通信を行う基地局を多数備える。３Ｇ網１０２は、基地局間で無線通信を行うことで通信装置間の通信を可能とする。３Ｇ網１０２は、スマートフォン１の第２通信ユニット６Ｂと通信を行い通話通信の信号を送受信する。さらに、３Ｇ網１０２は、スマートフォン１との間で送受信した信号を、基地局で伝達し、他の通信装置（他の電話番号の通信装置）との間で通話通信の信号を送受信する。以上のようにして、３Ｇ網１０２は、スマートフォン１と他の通信装置との間で通話通信を行い、スマートフォン１と他の通信装置との間での第２の通信方式を用いた通話通信を実行する。
【００７１】
ＰＨＳ網１００と３Ｇ網１０２とは、交換機を介して接続されており、２つの通信網を繋げて通信を行うこともできる。ＰＨＳ網１００と３Ｇ網１０２とは、交換機を介して公衆回線と接続されており、種々の通信網と接続することができ、種々の通信網に接続された通信装置と通信を行うことができる。これにより、スマートフォン１がＰＨＳ網１００と第１の通信方式で通信を行い通話通信の信号を送受信し、かつ、他の通信装置が他の通信方式で通信を行い通話通信の信号を送受信する場合でも、通話通信を行うことができる。このように、スマートフォン１は、通話通信を行う他の通信機器が異なる通信方式を用いる場合でも、通信網を接続する交換機で通信方式を変換できるため、通話を行うことができる。
【００７２】
ここで、図１０は、スマートフォン１がＰＨＳ網１００からの着呼つまり通話通信の着信を受信した後に、３Ｇ網１０２からの着呼つまり通話通信の着信を受信した場合の処理動作の一例である。ＰＨＳ網１００は、他の通信装置からスマートフォン１のＰＨＳの電話番号への発呼を検出した場合、ステップＳ２０として、スマートフォン１にＰＨＳ着信の信号を送る。ＰＨＳ網１００は、ステップＳ２０でスマートフォン１にＰＨＳ着信の信号を出力したら、マーク１１０に示すようにスマートフォン１との通信を実行状態とする。スマートフォン１は、ＰＨＳ着信、つまりＰＨＳ網１００からの着呼を検出した場合、マーク１１２に示すようにＰＨＳ網１００との通信を実行状態とする。スマートフォン１は、ステップＳ２０でＰＨＳ着信を検出した場合、着呼動作を実行する。ここで、着呼動作とは、例えば、ＰＨＳ網１００を介して他の通信装置から電話がかかっていることをユーザに通知し、受話操作を入力できる画面を表示させる操作である。
【００７３】
次に、３Ｇ網１０２は、他の通信装置からスマートフォン１の３Ｇの電話番号への発呼を検出した場合、ステップＳ２２として、スマートフォン１に３Ｇ着信の信号を送る。３Ｇ網１０２は、ステップＳ２２でスマートフォン１に３Ｇ着信の信号を出力したら、マーク１１６に示すようにスマートフォン１との通信を実行状態とする。
【００７４】
スマートフォン１は、３Ｇ着信、つまり３Ｇ網１０２からの着呼を検出した場合、マーク１１８に示すように３Ｇ網１０２との通信を実行状態とする。スマートフォン１は、ステップＳ２２で３Ｇ着信を検出した場合、ＰＨＳ網１００との通信状態、つまり第１通信ユニット６Ａでの制御状態を判定する。スマートフォン１は、ＰＨＳ着信が継続している、つまり、着信動作が継続していると判定し、ステップＳ２４として、３Ｇ網１０２に３Ｇ切断の信号を出力する。ここで、３Ｇ切断とは、スマートフォン１から３Ｇ網に通話通信が不可であることを示す信号である。スマートフォン１は、ステップＳ２４で３Ｇ切断の信号を出力したら、３Ｇ網１０２との通信を停止状態とする。３Ｇ網１０２は、ステップＳ２４でスマートフォン１からの３Ｇ切断の信号を受信したら、マーク１１６に示すようにスマートフォン１との通信を停止状態とする。
【００７５】
その後、スマートフォン１は、受話操作を検出したら、ステップＳ２６として、ＰＨＳ網１００を用いた通話を開始する。つまり、スマートフォン１は、ＰＨＳの電話番号に電話をかけた相手との通話を開始する。
【００７６】
スマートフォン１は、図１０に示すように、一方の通信網からの着呼を検出している状態で、他方の通信網から着呼を検出した場合、他方の通信網からの着呼に通信を切断する信号を送る。つまり、スマートフォン１は、一方の通信ユニットが着呼中である場合、他方の通信ユニットが検出した着呼に対して不可を通知する。これにより、第１通信ユニット６Ａ及び第２通信ユニット６Ｂの２つの通信ユニットを備えているスマートフォン１の操作を簡単にすることができ、操作性を向上させることができる。ここで、図１０は、スマートフォン１が第１通信ユニット６Ａ及び第２通信ユニット６Ｂの２つの通信ユニットで同時に着呼を検出した場合としたが、これに限定されない。スマートフォン１は、一方の通信ユニットで着呼を検出した場合、他方の通信ユニットの通信状態に基づいて制御を行えばよい。
【００７７】
次に、図１１及び図１２を用いて、スマートフォン１が着呼を検出した時の制御動作について説明する。なお、図１１及び図１２では、ＰＨＳ通信網から着呼（通話着信）を検出した場合の処理として説明するが、３Ｇ通信網から着呼を検出した場合も同様の処理を行う。
【００７８】
コントローラ１０は、ステップＳ４０として、第１通信ユニット６ＡでＰＨＳ通信網から着呼を検出したら、ステップＳ４２として３Ｇ通信網使用中かを判定する。ここで、３Ｇ通信網が使用中とは、第２通信ユニット６Ｂと３Ｇ通信網１０２との間で通話接続の信号を送受信している状態である。通話接続の信号の送受信には、応答する基地局を探索するポーリング処理の通信等は含まない。通話接続の信号の送受信には、例えば、着信処理、通話処理、発信処理で実行する信号の送受信が含まれる。
【００７９】
コントローラ１０は、ステップＳ４２で３Ｇ通信網使用中である（Ｙｅｓ）と判定した場合、ステップＳ４４として、二回線判定処理を実行し、本処理を終了する。なお、二回線判定処理については後述する。
【００８０】
コントローラ１０は、ステップＳ４２で３Ｇ通信網使用中ではない（Ｎｏ）と判定した場合、ステップＳ４６として、着信を通知する。つまり、コントローラ１０は、上述した着呼動作を実行する。ここで、スマートフォン１は、着呼動作として、上述した画面での通知以外の方法も用いることができる。つまり、スマートフォン１は、ユーザに着呼を報知できる種々の手段を着呼動作で駆動する報知部として用いることができる。スマートフォン１は、例えば、バイブレータ１９を報知部として用い、バイブレータ１９で筐体を振動させる動作を着呼動作としてもよい。スマートフォン１は、スピーカ１１を報知部として用い、スピーカ１１から着呼を報知する音声、いわゆる着信音を出力する動作を着呼動作としてもよい。
【００８１】
コントローラ１０は、ステップＳ４６で着信を通知したら、ステップＳ４８として、受話動作があるか、つまり受話操作を検出したかを判定する。コントローラ１０は、ステップＳ４８で受話動作なし（Ｎｏ）と判定した場合、ステップＳ５０として着呼が継続しているかを判定する。コントローラ１０は、ステップＳ５０で着呼が継続している（Ｙｅｓ）、つまりＰＨＳ通信網からの着呼の信号が停止していないと判定した場合、ステップＳ４６に進む。コントローラ１０は、ステップＳ５０で着呼が継続していない（Ｎｏ）、つまりＰＨＳ通信網からの着呼の信号が停止していると判定した場合、ステップＳ５２として、着信履歴画面を作成し、本処理を終了する。つまり、コントローラ１０は、受話動作を検出せずに、ＰＨＳ通信網１００からの着呼が停止したら、ユーザが受話しなかった着呼に関する情報を表示する着信履歴画面を作成する。ここで、着信履歴画面には、着呼に対応する発呼の端末の情報である電話番号や、着呼の日時を含む。また、コントローラ１０はさらにユーザが受話しなかった着呼、いわゆる不在着信があったことを示すポップアップ画面も作成し、タッチスクリーンディスプレイ２に表示させる。
【００８２】
コントローラ１０は、ステップＳ４８で受話動作あり（Ｙｅｓ）と判定した場合、ステップＳ５４として、通話を開始し、本処理を終了する。つまり、コントローラ１０は、受話動作を検出したら、第１通信ユニット６ＡとＰＨＳ通信網１００を用いて、ＰＨＳ通信網１００からの着呼に対応する他の通信装置との通話を開始する。
【００８３】
次に、図１２を用いて二回線判定処理について説明する。ここで、二回線判定処理とは、一方の通信網から着呼の検出時に他方の通信網も使用している場合に実行される処理である。コントローラ１０は、ステップＳ６０として、３Ｇ通信網着呼中であるかを判定する。コントローラ１０は、ステップＳ６０で３Ｇ通信網着呼中である（Ｙｅｓ）と判定した場合、ステップＳ６４に進む。コントローラ１０は、ステップＳ６０で３Ｇ通信網着呼中ではない（Ｎｏ）と判定した場合、ステップＳ６２として、３Ｇ通信網発呼中であるかを判定する。
【００８４】
コントローラ１０は、ステップＳ６２で３Ｇ通信網発呼中である（Ｙｅｓ）と判定した場合、ステップＳ６４に進む。コントローラ１０は、ステップＳ６０、Ｓ６２でＹｅｓと判定した場合、つまり、３Ｇ通信網から着呼中である場合または３Ｇ通信網に対して発呼中である場合、ステップＳ６４としてＰＨＳ通信網に切断を通知し、本処理を終了する。つまり、コントローラ１０は、３Ｇ通信網と通話のための通信を行っている状態で、かつ、通話を開始していない状態の場合、３Ｇ通信網と通話のための通信を維持しつつ、ＰＨＳ通信網に切断を通知する。
【００８５】
コントローラ１０は、ステップＳ６２で３Ｇ通信網発呼中ではない（Ｎｏ）と判定した場合、ステップＳ６６として、着信を通知する。つまり、コントローラ１０は、３Ｇ通信網発呼中ではなくかつ３Ｇ通信網着呼中ではない場合、通話通信中であるとして、上述した着呼動作を実行する。この場合、コントローラ１０は、３Ｇ通信網を介して実行している通話通信を維持したまま、ＰＨＳ通信網からの着呼に対する着呼動作を実行する。
【００８６】
コントローラ１０は、ステップＳ６６で着信を通知したら、ステップＳ６８として、受話動作があるかを判定する。コントローラ１０は、ステップＳ６８で受話動作なし（Ｎｏ）と判定した場合、ステップＳ７０として着呼が継続しているかを判定する。コントローラ１０は、ステップＳ７０で着呼が継続している（Ｙｅｓ）、つまりＰＨＳ通信網からの着呼の信号が停止していないと判定した場合、ステップＳ６６に進む。コントローラ１０は、ステップＳ７０で着呼が継続していない（Ｎｏ）、つまりＰＨＳ通信網からの着呼の信号が停止していると判定した場合、ステップＳ７２として、着信履歴画面を作成し、本処理を終了する。つまり、コントローラ１０は、受話動作を検出せずに、ＰＨＳ通信網１００からの着呼が停止したら、ユーザが受話しなかった着呼に関する情報を表示する着信履歴画面を作成する。なお、この場合、コントローラ１０は、３Ｇ通信網を用いた通話通信の終了後に着信履歴画面を表示させたり、着信履歴画面に移行するためのポップアップ画面を表示させたりする。
【００８７】
コントローラ１０は、ステップＳ６８で受話動作あり（Ｙｅｓ）と判定した場合、ステップＳ７４として、３Ｇ通信網に切断を通知し、ステップＳ７６として、ＰＨＳ通信網での通話を開始し、本処理を終了する。つまり、コントローラ１０は、受話動作を検出したら、３Ｇ通信網１０２に切断を通知し、第２通信ユニット６Ｂと３Ｇ通信網１０２を用いた通話通信を終了する。さらに、コントローラ１０は、第１通信ユニット６ＡとＰＨＳ通信網１００を用いたＰＨＳ通信網からの着呼に対応する他の通信装置との通話通信を開始する。
【００８８】
スマートフォン１は、一方の通信ユニットで一方の通信網からの着呼を検出した場合、他方の通信ユニットの状態（または他方の通信網との通信状態）に基づいて、一方の通信ユニットで検出した着呼に対する処理を制御する。これにより、スマートフォン１は、２つの通信ユニットで別々に通話通信を実行できる構成であっても、ユーザが操作しやすい状態で、通信を制御することができる。また、スマートフォン１は、自機で２つの通信網との通信を制御することができ、通信網にかかる負荷を低減することができる。また、自機で２つの通信網との通信を制御することができることで、自機の使用目的に合わせて、通話通信を制御することができる。さらに、スマートフォン１は、上記制御をコントローラ１０で行うことで、従来の３Ｇ及びＰＨＳのシステムを改変することなく、他のシステムで着呼中における３Ｇ及びＰＨＳの着呼を処理することができる。
【００８９】
スマートフォン１は、本実施形態のように、一方の通信ユニットで着呼を検出した場合、他方の通信ユニットと他方の通信網との通信状態が発呼中である場合、一方の通信ユニットで着呼を切断する。具体的には、一方の通信ユニットが検出した着呼に対して不可を通知し、着呼を切断する。これにより、ユーザが積極的に実行した通話通信を開始するための操作を優先させることができ、よりユーザの意図に沿った通話通信の制御を実行することができる。
【００９０】
スマートフォン１は、本実施形態のように、一方の通信ユニットで着呼を検出した場合、他方の通信ユニットと他方の通信網との通信状態が着呼中である場合、一方の通信ユニットで着呼を切断する。具体的には、一方の通信ユニットが検出した着呼に対して不可を通知し、着呼を切断する。これにより、２つの着呼が重なって通知されることを抑制することができ、ユーザの操作性を向上させることができる。
【００９１】
スマートフォン１は、本実施形態のように、一方の通信ユニットで着呼を検出した場合、他方の通信ユニットと他方の通信網との通信状態が通話中である場合、着呼を報知させ、通話の切り替えを可能とすることで、ユーザが通信相手を任意に設定することが可能となる。
【００９２】
なお、上記実施形態のスマートフォン１は、一方の通信ユニットで着呼を検出した場合、他方の通信ユニットと他方の通信網との通信状態が通話中である場合、通話を切り替え可能としたがこれに限定されない。スマートフォン１は、一方の通信ユニットで着呼を検出した場合、他方の通信ユニットと他方の通信網との通信状態が通話中である場合、一方の通話ユニットからの着呼を切断してもよい。また、スマートフォン１は、一方の通話ユニットからの着呼を切断するか、切り替え可能とするかを設定で変更できるようにしてもよい。これにより、ユーザの希望に沿った制御を実行することができる。
【００９３】
スマートフォン１は、他方の通信ユニットと他方の通信網との通話状態によって、一方の通信ユニットで検出した着呼を切断した（つまり一方の通信ユニットが検出した着呼に対して不可を通知した）場合、一方の通信ユニットで検出した着呼の情報を着信履歴として保存することで、利用者に着呼があったことを報知させることができる。スマートフォン１は、利用者に着呼があったことを報知させることで、通信ユニットが検出した着呼をより確実に利用者に報知させることができる。
【００９４】
スマートフォン１、ＰＨＳ通信網１００及び３Ｇ通信網１０２は、発呼が切断された場合、通話通信が使用できないことを示す、ビジートーンの音声を出力する。また、上記実施形態のスマートフォン１は、よりユーザの操作性を向上でき、ユーザにストレスのない処理にできるため、先に通話通信に関する通信を行っている通信ユニットを優先させたがこれに限定されない。スマートフォン１は、一方の通信ユニットで一方の通信網からの着呼を検出した場合、他方の通信ユニットの状態に基づいて、一方の通信ユニットで検出した着呼に対する処理を制御すればよく、種々の設定とすることができる。
【００９５】
スマートフォン１は、一方の通信ユニットで通話通信に関する通信を行っている間に、他の通信装置からの着呼があった場合、一方の通信網で処理が実行される。つまり、１つの電話番号に足して複数の通話通信が重なる可能性がある状態となった場合、通信網のサーバが通話回線を調整する。
【００９６】
また、スマートフォン１は、上記処理を実行することで、自端末の一方の通信ユニットから他方の通信ユニットに通話通信がかかることを抑制することができる。以下、図１３及び図１４を用いて説明する。
【００９７】
スマートフォン１は、ステップＳ１００として、自機の３Ｇの電話番号（３Ｇ電番）から自機のＰＨＳの電話番号（ＰＨＳ電番）へ発信を行う。つまり、第２通信ユニット６Ｂを用いて、自機のＰＨＳの電話番号への発呼を行う。スマートフォン１は、ステップＳ１００で、第２通信ユニット６Ｂを用いて、自機のＰＨＳの電話番号への発呼を行うことで、マーク１２０に示すように３Ｇ網１０２との通信が実行状態となる。
【００９８】
３Ｇ網１０２は、スマートフォン１の３Ｇの電話番号からの発呼を検出した場合、マーク１２２に示すようにスマートフォン１との通信が実行状態となる。その後、３Ｇ網１０２は、スマートフォン１からの発呼先であるＰＨＳの電話番号を特定し、ステップＳ１０２として、３Ｇ網１０２からＰＨＳ網１００へ着呼の信号を送信する。つまり、３Ｇ網１０２は、ステップＳ１０２としてＰＨＳ網１００に対して自機の３Ｇの電話番号から自機のＰＨＳの電話番号への発呼を通知する。つまり、３Ｇ網１０２は、ＰＨＳ網１００に含まれる自機のＰＨＳの電話番号に対して、自機の３Ｇの電話番号から電話がかかっていることを通知する信号をＰＨＳ網１００に送信する。ＰＨＳ網１００は、ステップＳ１０２でスマートフォン１のＰＨＳの電話番号に対する着呼を検出したら、マーク１２４に示すようにスマートフォン１との通信を実行状態とする。
【００９９】
ＰＨＳ網１００は、ステップＳ１０２で３Ｇ網１０２からスマートフォン１のＰＨＳの電話番号への発呼を検出した場合、ステップＳ１０４として、スマートフォン１にＰＨＳ着信の信号を送る。スマートフォン１は、ステップＳ１０４でＰＨＳ着信、つまりＰＨＳ網１００からの着呼を検出した場合、マーク１２６に示すようにＰＨＳ網１００との通信を実行状態とする。
【０１００】
スマートフォン１は、ステップＳ１０４でＰＨＳ着信を検出した場合、３Ｇ網１０２との通信状態、つまり第２通信ユニット６Ｂでの制御状態を判定する。この場合、スマートフォン１は、３Ｇ発信が継続している、つまり、発呼動作が継続していると判定し、ステップＳ１０６として、ＰＨＳ網１００に切断の信号を出力する。ここで、切断の信号とは、スマートフォン１からＰＨＳ網１００に通話通信が不可であることを示す信号である。スマートフォン１は、ステップＳ１０６でＰＨＳ切断の信号を出力したら、ＰＨＳ網１００との通信を停止状態とする。ＰＨＳ網１００は、ステップＳ１０６でスマートフォン１からの切断の信号を受信したら、ステップＳ１０８として、３Ｇ網１０２へ切断を通知、つまり切断の信号を出力する。ステップＳ１０８の切断の信号とは、ＰＨＳ網１００から３Ｇ通信網１０２にスマートフォン１との通話通信が不可であることを示す信号である。ＰＨＳ網１００は、スマートフォン１から送られた切断の信号を受信し、３Ｇ網１０２に切断の信号を出力してから一定時間経過後、マーク１２４に示すようにスマートフォン１との通信を停止状態とする。
【０１０１】
３Ｇ網１０２は、ステップＳ１０８でＰＨＳ網１００からの切断の信号を受信したら、ステップＳ１１０として、スマートフォン１へ切断を通知、つまり切断の信号を出力する。ステップＳ１１０の切断の信号とは、３Ｇ通信網１０２からスマートフォン１に、スマートフォン１は発呼した通話通信が不可であることを示す信号である。３Ｇ網１０２は、ＰＨＳ網１００から送られた切断の信号を受信し、スマートフォン１に切断の信号を出力してから一定時間経過後、マーク１２２に示すようにスマートフォン１との通信を停止状態とする。さらにスマートフォン１は、ステップＳ１１０で３Ｇ網１０２から送信された切断の通知を受信したら、マーク１２０に示すように３Ｇ網１０２との通信を停止状態とする。
【０１０２】
次に、図１４を用いて、図１３の処理時にスマートフォン１で実行される制御動作について説明する。コントローラ１０は、ステップＳ１２０として、ユーザによって入力された自機の３Ｇの電話番号から自機のＰＨＳの電話番号へ発信動作（発呼操作）を検出する。コントローラ１０は、ステップＳ１２０で発信動作を検出したら、ステップＳ１２２として３Ｇ通信網への発呼処理を開始する。つまり、コントローラ１０は、第２通信ユニット６Ｂを用いて、３Ｇ通信網１０２へ通話通信の発呼処理の信号を出力する。コントローラ１０は、ステップＳ１２２で発呼処理を開始すると、ステップＳ１２４として、ＰＨＳ通信網からの着呼を検出する。つまり、コントローラ１０は、第１通信ユニット６ＡによりＰＨＳ通信網１００からの着呼を検出する。
【０１０３】
コントローラ１０は、ステップＳ１２４で第１通信ユニット６Ａが着呼を検出したら、第２通信ユニット６Ｂの状態を検出し、ステップＳ１２６として、３Ｇ通信網の発呼中と判定する。つまり、コントローラ１０は、第２通信ユニット６ＢがステップＳ１２２で開始した３Ｇ通信網への発呼が継続していると判定する。その後、コントローラ１０は、３Ｇ通信網の発呼中である判定に基づいて、ステップＳ１２８として、ＰＨＳ通信網への切断通知を実行する。さらに、コントローラ１０は、切断したＰＨＳの電話番号への着呼の情報に基づいて、発信者の電話番号と、発呼している電話番号とが一致することを検出し、ステップＳ１３０として、３Ｇ通信網からの切断の通知を検出する。コントローラ１０は、ステップＳ１３０で、３Ｇ通信網からの切断の通知を検出したら、ステップＳ１３２として、タッチスクリーンディスプレイ２に通話不能を表示しレシーバ７からビジートーンを出力し、本処理を終了する。なお、スマートフォン１は、ステップＳ１３０で切断の通知を検出することに換えて、通信の対象を特定し、自機の通信ユニットの電話番号からの発呼であることを特定したら、タッチスクリーンディスプレイ２に通話不能を表示しレシーバ７からビジートーンを出力するようにしてもよい。
【０１０４】
スマートフォン１は、一方の通信ユニットで一方の通信網からの着呼を検出した場合、他方の通信ユニットの状態に基づいて、一方の通信ユニットで検出した着呼に対する処理を制御する。より具体的には、スマートフォン１は、一方の通信ユニットで着呼を検出した場合、他方の通信ユニットと他方の通信網との通信状態が発呼中である場合、一方の通信ユニットで着呼を切断する。これにより、スマートフォン１は、図１３及び図１４に示すように、自機の一方の通信ユニットの電話番号から他方の通信ユニットの電話番号に電話がかからないようにすることができる。これにより、２つの通信ユニットで別々の電話番号を使用している場合でも、利用価値の低い通信が生じることを抑制することができ、ユーザの操作性を向上させることができる。また、スマートフォン１は、自動的に通信を切断することで、利用価値の低い呼び出しが継続し、通信網の負荷がかかることを抑制することができる。
【０１０５】
なお、図１３及び図１４の例では、ＰＨＳ網１００から３Ｇ網１０２へ切断を通知し、３Ｇ網１０２からスマートフォン１に切断を通知して、スマートフォン１の通信を停止させたが、これに限定されない。スマートフォン１は、切断したＰＨＳの電話番号への着呼の情報に基づいて、発信者の電話番号（つまりスマートフォン１の各通信ユニットに割り当てられている電話番号）と発呼している電話番号（つまり着呼が来ている通話通信の発呼側の電話番号）とが一致することを検出した場合、３Ｇ網１０２に対しても切断（３Ｇ切断）を通知するようにしてもよい。つまり、スマートフォン１は、コントローラ１０で電話番号の比較を行い、発呼している通信ユニットからも切断の信号を出力するようにしてもよい。この場合、スマートフォン１は、図１３のステップＳ１１０とは逆の方向で３Ｇ網１０２に切断の信号を出力する。さらに、スマートフォン１は、３Ｇ網１０２に切断の信号を出力したら、３Ｇ網１０２との通信を停止状態とする。３Ｇ網１０２は、スマートフォン１からの切断の信号を受信したら、一定時間経過後、マーク１２２に示すようにスマートフォン１との通信を停止状態とする。
【０１０６】
さらに、スマートフォン１は、図１４の処理で、ステップＳ１３０に換えて、３Ｇ通信網への切断通知を実行し、その後、ステップＳ１３２のタッチスクリーンディスプレイ２に通話不能を表示しレシーバ７からビジートーンを出力し、本処理を終了する。このように、スマートフォン１で通信の対象の電話番号の照合を行い、発呼側の通信網に対してもスマートフォン１から切断の通知を行うことでも、上記と同様に２つの通信ユニットでの通話通信を好適に制御することができ、自機の一方の通信ユニットの電話番号から他方の通信ユニットの電話番号に電話がかからないようにすることができる。また、スマートフォン１で判定を行い、２つの通信網に切断を通知することで、従来の３Ｇ通信方式のシステム及びＰＨＳ通信方式のシステムを改変することなく、他のシステムで着呼中における３Ｇ及びＰＨＳの着呼を処理することができる。
【０１０７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１０８】
例えば、図５に示した各プログラムは、複数のモジュールに分割されていてもよい。あるいは、図５に示した各プログラムは、他のプログラムと結合されていてもよい。
【０１０９】
上記の実施形態では、タッチスクリーンを備える装置の一例として、スマートフォンについて説明したが、添付の請求項に係る通信装置は、スマートフォンに限定されない。添付の請求項に係る通信装置は、複数の通信部を備えていれば、スマートフォン以外の携帯通信装置であってもよい。携帯通信機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る通信装置は、据え置き型の通信装置であってもよい。据え置き型の通信装置は、例えば、デスクトップパソコン、及びテレビ受像器である。
【符号の説明】
【０１１０】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カレンダーアプリケーション
９Ｇ  計算機アプリケーション
９Ｚ  設定データ
１０  コントローラ
１１  スピーカ
１２，１３  カメラ
１４  コネクタ
１５  加速度センサ
１６  方位センサ
１７  ジャイロスコープ
２０  ハウジング
４０  ホーム画面
４５  通話設定インターフェース
４６，４７  ユーザーインターフェース
５０  アイコン
【図１】
0005547766.tif 000002
【図２】
0005547766.tif 000003
【図３】
0005547766.tif 000004
【図４】
0005547766.tif 000005
【図５】
0005547766.tif 000006
【図６】
0005547766.tif 000007
【図７】
0005547766.tif 000008
【図８】
0005547766.tif 000009
【図９】
0005547766.tif 000010
【図１０】
0005547766.tif 000011
【図１１】
0005547766.tif 000012
【図１２】
0005547766.tif 000013
【図１３】
0005547766.tif 000014
【図１４】
0005547766.tif 000015